(57)【要約】【課題】プロジェクタにおいて、反射鏡の角度を容易に調整できるようにする。【解決手段】照明光学系１０、画像情報に応じて光を変調する光変調ユニット６０、投影レンズ光学系７０を備えるプロジェクタＰにおいて、光路上に配置される反射鏡の角度位置を調整する反射鏡調整装置を、反射鏡５０を保持する保持部材１１０、保持部材１１０と対向して配置される固定部材１２０、保持部材１１０と固定部材１２０との間に介在して保持部材１１０を複数の方向に枢動させ得る球状の枢支部１３０、保持部材１１０と固定部材１２０とを締結すると共に枢支部１３０を囲む少なくとも三箇所における両者間の距離を調整し得る調整ネジ１４０及びネジ穴１１２を採用する。これにより、簡略な構造にて、反射鏡の向きを容易にかつ高精度に調整できる。【選択図】  図２
2004233688.tif 000002
【特許請求の範囲】
【請求項１】
照明光学系、画像情報に応じて光を変調する光変調ユニット、投影レンズ光学系を備えるプロジェクタにおいて、光路上に配置される反射鏡の角度位置を調整するプロジェクタの反射鏡調整装置であって、
前記反射鏡を保持する保持部材と、前記保持部材と対向して配置されると共にプロジェクタの本体に固定される固定部材と、前記保持部材と前記固定部材との間に介在して前記保持部材を複数の方向に枢動させ得る枢支部と、前記保持部材と前記固定部材とを締結すると共に前記枢支部を囲む少なくとも三箇所における両者間の距離を調整し得る調整手段と、を有する、
ことを特徴とするプロジェクタの反射鏡調整装置。
【請求項２】
前記枢支部は、前記保持部材に一体的に形成された略半球状の突起部からなり、
前記固定部材は、前記突起部を摺動自在に支持する凹状の支持部を有する、
ことを特徴とする請求項１記載のプロジェクタの反射鏡調整装置。
【請求項３】
前記枢支部は、前記保持部材と前記固定部材との間に挟持される球体からなり、
前記保持部材及び固定部材は、前記球体を摺動自在に支持する凹状の支持部を有する、
ことを特徴とする請求項１記載のプロジェクタの反射鏡調整装置。
【請求項４】
前記枢支部は、前記反射鏡の略中央部に位置するように配置されている、
ことを特徴とする請求項１ないし３いずれかに記載のプロジェクタの反射鏡調整装置。
【請求項５】
前記支持部は、前記枢支部の直径より小さい直径をもつ円孔である、
ことを特徴とする請求項２ないし４いずれかに記載のプロジェクタの反射鏡調整装置。
【請求項６】
前記調整手段は、前記保持部材及び固定部材の一方に形成された貫通孔に挿通される調整ネジと、前記保持部材及び固定部材の他方に形成されたネジ穴又は他方の位置するナットと、を含む、
ことを特徴とする請求項１ないし５いずれかに記載のプロジェクタの反射鏡調整装置。
【発明の詳細な説明】
【０００１】
【発明の属する技術分野】
本発明は、画像をスクリーン上に投影するプロジェクタにおいて、光路内に配置され光を反射する反射鏡の角度位置を調整するプロジェクタの反射鏡調整装置に関し、特に画像情報に応じて光を変調する光変調ユニットに向けて光を反射する反射鏡の角度位置を調整するプロジェクタの反射鏡調整装置に関する。
【０００２】
【従来の技術】
従来のプロジェクタにおいては、照明光学系から射出された光を、画像情報に応じて、液晶パネルあるいはＤＭＤ（登録商標）（デジタルマイクロミラーデバイス）等の光変調ユニットにより変調し、投影レンズ光学系を通してスクリーン上に画像を表示するようになっている。
ここで、照明光学系から光変調ユニットまでの光路上には、小型化、省スペース化あるいは光路設計上の観点等から光を反射する反射鏡が配置されており、照明光学系から射出された光を、反射鏡で所定の向きに反射させて光変調ユニットに導くように構成されている。
この構成において、反射鏡が所望の位置（角度位置）に高精度に取り付けられないと、反射された光が光変調ユニットの所望領域に入射せず、ずれた領域を照射してしまう。そこで、反射鏡には、従来からその角度等を調整する反射鏡調整装置が採用されている（例えば、特許文献１、特許文献２参照）。
【０００３】
【特許文献１】
特開２００１−０３３８７３号公報
【特許文献２】
特開２００２−０９０８７６号公報
【０００４】
【発明が解決しようとする課題】
ところで、上記従来の反射鏡調整装置においては、反射鏡の向きを二軸方向に調整可能とするために、反射鏡を保持する保持板に板状のスプリング及び柱状の支軸を設け、さらにスプリングを挟むように対向させると共に調整ネジを取り付けた対向板を介在させて、プロジェクタの筐体に取り付けるものであり、部品点数が多くて構造が非常に複雑であり、調整作業も面倒である。
また、従来の他の反射鏡調整装置においては、反射鏡の両側部を通す溝をもつ二つの支柱、支柱の溝に隙間をもって挿入された反射鏡の一方の面の両端部を付勢する二つのスプリング、二つのスプリングに対向する位置において他方の面を押し付ける楔状の二つの調整部材、反射鏡の下端中央部に配置され回動支軸となる円柱部等により形成されており、前述同様に、部品点数が多くて構造が非常に複雑であり、調整作業も面倒である。
【０００５】
本発明は、上記従来技術の問題点に鑑みて成されたものであり、その目的とするところは、プロジェクタの光路上に配置される反射鏡を、構造の簡略化、部品点数の削減等を図りつつ、所望の角度位置に高精度にかつ容易に調整できるプロジェクタの反射鏡調整装置を提供することにある。
【０００６】
【課題を解決するための手段】
本発明に係るプロジェクタの反射鏡調整装置は、照明光学系、画像情報に応じて光を変調する光変調ユニット、投影レンズ光学系を備えるプロジェクタにおいて、光路上に配置される反射鏡の角度位置を調整するプロジェクタの反射鏡調整装置であって、上記反射鏡を保持する保持部材と、保持部材と対向して配置されると共にプロジェクタの本体に固定される固定部材と、保持部材と固定部材との間に介在して保持部材を複数の方向に枢動させ得る枢支部と、保持部材と固定部材とを締結すると共に枢支部を囲む少なくとも三箇所における両者間の距離を調整し得る調整手段と、を有する、ことを特徴としている。
この構成によれば、調整手段により、保持部材と固定部材との間の距離を適宜調整すると、保持部材は、枢支部を支点として複数の方向に枢動（支点を中心として傾動）し、固定部材に対する傾きの角度位置が調整される。これにより、簡略な構造にて、保持部材に保持された反射鏡（反射面）の向きを、所望の向きに容易にかつ高精度に調整することができる。
【０００７】
上記構成において、枢支部は、保持部材に一体的に形成された略半球状の突起部からなり、固定部材は、突起部を摺動自在に支持する凹状の支持部を有する、構成を採用できる。
この構成によれば、半球状の突起部が固定部材の支持部に支持されることで、保持部材（反射鏡）は、突起部を支点として固定部材に対する傾きの角度位置が調整され得る状態となる。また、枢支部が保持部材に一体的に形成されているため、その分だけ部品点数を削減することができる。
【０００８】
上記構成において、枢支部は、保持部材と固定部材との間に挟持される球体からなり、保持部材及び固定部材は、球体を摺動自在に支持する凹状の支持部を有する、構成を採用できる。
この構成によれば、球体が保持部材及び固定部材の支持部に支持されることで、保持部材（反射鏡）は、球体を支点として固定部材に対する傾きの角度位置が調整され得る状態となる。また、枢支部が独立した球体であるため、既存の製品を流用することもでき、低コスト化が図れる。
【０００９】
上記構成において、枢支部は、反射鏡の略中央部に位置するように配置されている、構成を採用できる。
この構成によれば、調整手段により保持部材の角度位置を調整する際に、反射鏡の略中央部を支点として反射鏡の角度が調整されるため、反射鏡の上流側及び下流側における光路長の変化を防止ないしは極力小さく抑えることができる。
【００１０】
上記構成において、支持部は、枢支部の直径より小さい直径をもつ円孔である、構成を採用できる。
この構成によれば、枢支持を支持する支持部が円孔であるため、固定部材（あるいは保持部材）に対して支持部を容易に形成することができ、又、枢支部と支持部との位置合わせも容易に行うことができる。
【００１１】
上記構成において、調整手段は、保持部材及び固定部材の一方に形成された貫通孔に挿通される調整ネジと、保持部材及び固定部材の他方に形成されたネジ穴又は他方に位置するナットと、を含む、構成を採用できる。
この構成によれば、調整ネジのネジ穴へのネジ込み量又はナットの締め付け量を適宜調整することにより、保持部材（反射鏡）の角度位置を高精度かつ容易に調整することができる。
【００１２】
【発明の実施の形態】
以下、本発明の実施の形態について、添付図面を参照しつつ説明する。
図１ないし図６は、本発明に係るプロジェクタの反射鏡調整装置の一実施形態を示すものであり、図１は反射鏡調整装置を含むプロジェクタのシステム図、図２は反射鏡調整装置の分解斜視図、図３は反射鏡調整装置の背面図及び側断面図、図４は反射鏡調整装置の平断面図及び正面図、図５及び図６は反射鏡調整装置の調整動作を示す側断面図及び平断面図である。
【００１３】
プロジェクタＰは、図１に示すように、照明光を発する照明光学系１０、赤（Ｒ）、緑（Ｇ）、青（Ｂ）のフィルタから構成され所定の速度で回転するカラーホイール２０、光を所定の方向に導くライトトンネル３０、光を集光するコンデンサレンズ４０、光を所定の方向に向けて反射する反射鏡５０及び反射鏡調整装置１００、反射鏡５０により反射された光を画像情報に応じて変調する光変調ユニット６０、投影レンズ光学系７０、種々の制御を司る制御ユニット（不図示）等により構成されている。
【００１４】
照明光学系１０は、図１に示すように、照明光を発するランプ１１、リフレクタ１２、フィルタ１３等により形成されている。
光変調ユニット６０は、例えば、半導体上に超微細な鏡（マイクロミラー）が数十万個敷き詰められており、画像情報に応じその各々の鏡の傾斜角度が制御されることで、反射鏡５０から反射されて入射する光を変調するＤＭＤ（登録商標）（デジタルマイクロミラーデバイス）等の反射型光学変調素子である。
【００１５】
投影レンズ光学系７０は、例えば、複数のレンズ群、それぞれのレンズ群にカム作用を及ぼして相対的に移動させるカム筒、カム筒を回転駆動するモータ等を備え、スクリーンＳ上に投影される画像の倍率及び合焦を行うレンズ鏡胴等を含むものである。
【００１６】
そして、このプロジェクタＰにおいては、ランプ１１から照射された照射光は、カラーホイール２０、ライトトンネル３０、コンデンサレンズ４０を経て、反射鏡５０に達し、反射鏡５０にて反射された反射光は光変調ユニット６０に入射する。さらに、光変調ユニット６０により変調された変調光は、投影レンズ光学系７０を通って、スクリーンＳ上に画像として表示される。
ここで、反射鏡５０により反射された反射光が光変調ユニット６０に所定の角度で入射するように、反射鏡調整装置１００を用いて、反射鏡５０の角度位置が組み付け時に予め調整される。
【００１７】
反射鏡調整装置１００は、図２ないし図４に示すように、反射鏡５０を保持する保持部材１１０、保持部材１１０を支持した状態でプロジェクタＰの本体（シャーシ）に固定される固定部材１２０、保持部材１１０と固定部材１２０との間に介在して保持部材１１０を複数の方向に枢動（支点を中心として傾動）させ得る枢支部としての半球状の突起部１３０、保持部材１１０と固定部材１２０とを締結すると共に突起部１３０を囲む三箇所における両者間（保持部材１１０と固定部材１２０との間）の距離を調整し得る調整手段としての調整ネジ１４０及びネジ穴１１２等により形成されている。
【００１８】
保持部材１１０は、図２ないし図４に示すように、略矩形状の平板に形成され、前面１１１ａにおいて反射鏡５０を保持するＬ字状のリブ１１１が一体的に形成され、背面１１２ａにおいて半球状の突起部１３０が一体的に形成（同一材料において加工成形あるいは別個に形成した後に接合成形）され、又、突起部１３０を囲む二等辺三角形の三つの頂点においてネジ穴１１２が形成されている。
【００１９】
ここで、反射鏡５０は、リブ１１１に位置決めされた状態で、保持部材１１０の前面１１１ａに接着剤等により接合される。このとき、反射鏡５０は、図２に示すように、その略中央部（ここでは、中心Ｃ）が半球状の突起部１３０の中心を通る位置に配置される。これによれば、突起部１３０を支点として保持部材１１０の角度位置を調整する際に、反射鏡５０の略央部がその支点近傍に位置する状態で反射鏡５０の角度が調整されるため、反射鏡５０の上流側及び下流側における光路長の変化を防止ないしは極力小さく抑えることができる。
【００２０】
固定部材１２０は、図２ないし図４に示すように、プロジェクタＰの本体（シャーシ）に固定される座部１２１、座部１２１から垂直に直立する略矩形で平板状の直立部１２２等により全体の輪郭が形成されている。直立部１２２は、保持部材１１０と対向して配置される部分であり、略中央部に凹状の支持部としての円孔１２３、円孔１２３を囲む三箇所の位置に貫通孔１２４が形成されている。
【００２１】
円孔１２３は、突起部１３０の直径よりも小さい直径をなすように形成されており、その縁部が突起部１３０の球面に環状に接触して、突起部１３０を摺動自在に支持するようになっている。また、貫通孔１２４は、調整ネジ１４０を挿通し得るように、かつ、締結時に保持部材１１０の傾斜角度に応じて（背面１１２ａと垂直になるように）調整ネジ１４０の若干の傾斜を許容するように、若干大きめに開けられている。
尚、保持部材１１０の傾斜角度が比較的大きい場合には、調整ネジ１４０にスプリングワッシャ１４０ａ（図５及び図６参照）を設けることで、調整ネジ１４０の傾斜を許容しつつ堅固に締結することができる。
【００２２】
次に、この調整装置の組み付け及び調整手順について説明する。
先ず、図２に示すように、反射鏡５０、突起部１３０が一体的に形成された保持部材１１０、固定部材１２０、調整ネジ１４０が用意される。そして、反射鏡５０がリブ１１１により位置決めされた状態で保持部材１１０の前面１１１ａに接着される。
【００２３】
続いて、三本の調整ネジ１４０が固定部材１２０の貫通孔１２４に挿通されて保持され、保持部材１１０が固定部材１２０に対向するように近づけられて、その突起部１３０の球面が円孔１２３の縁部に当接させられる。これにより、保持部材１１０は、突起部１３０及び円孔１２３を介して、枢動自在に支持された状態となる。その後、調整ネジ１４０がネジ穴１１２に螺合されて、保持部材１１０が固定部材１２０に連結される。
【００２４】
この状態において、固定部材１２０は、プロジェクタＰの本体（シャーシ）に締結ネジ等により固定される。これにより、反射鏡５０は、照明光学系１０から光変調ユニット６０までの光路上に配置される。
続いて、ランプ１１から射出された照明光を反射鏡５０により反射させつつ、その反射光が光変調ユニット６０の所定の領域に入射するように、三本の調整ネジ１４０のねじ込み量が適宜調整されて、三箇所の位置における保持部材１１０と固定部材１２０との間の距離が微調整される。
【００２５】
すなわち、反射光が光変調ユニット６０の下方寄りに入射する場合は、図５（ａ）に示すように、反射鏡５０が上向きに傾斜するように調整ネジ１４０のねじ込み量が微調整される。同時に、反射光が光変調ユニット６０の左寄りに入射する場合は、図６（ａ）に示すように反射鏡５０が右向きに傾斜するように、又、反射光が光変調ユニット６０の右寄りに入射する場合は、図６（ｂ）に示すように反射鏡５０が左向きに傾斜するように、それぞれ調整ネジ１４０のねじ込み量が微調整される。
【００２６】
一方、反射光が光変調ユニット６０の上方寄りに入射する場合は、図５（ｂ）に示すように、反射鏡５０が下向きに傾斜するように調整ネジ１４０のねじ込み量が微調整される。同時に、反射光が光変調ユニット６０の左寄りに入射する場合は、図６（ａ）に示すように反射鏡５０が右向きに傾斜するように、又、反射光が光変調ユニット６０の右寄りに入射する場合は、図６（ｂ）に示すように反射鏡５０が左向きに傾斜するように、それぞれ調整ネジ１４０のねじ込み量が微調整される。以上のような調整作業が完了すると、その後のずれを防止するべく、接着剤等により全体を固着してもよい。
【００２７】
このように、反射鏡５０の角度位置を調整する際に、保持部材１１０の突起部（枢支部）１３０の中心と反射鏡５０の中心Ｃとが同一の直線上でかつ近接した位置に配置されているので、保持部材１１０の角度調整は反射鏡５０の略中央部を支点とした角度調整と略同一視できる。したがって、反射鏡５０の傾き角度を調整しても、反射鏡５０の上流側の光路長と下流側の光路長とは、それぞれ調整の前後において殆んど変化することなく略同一に維持される。
また、反射鏡調整装置１００は、一つの枢支部（突起部１３０）を支点として複数の方向に枢動可能に形成されているため、構造が簡単であり、部品点数も少なく、それ故に、調整作業も容易でかつ高精度に行うことができ、装置のコストも低減できる。
【００２８】
図７は、本発明に係る反射鏡調整装置の他の実施形態を示すものであり、前述の実施形態と同一の構成については同一の符号を付してその説明を省略する。すなわち、この実施形態に係る装置においては、図７に示すように、固定部材１２０´に設ける凹状の支持部として、球面状をなす凹部１２３´が形成されている。この凹部１２３´は、その曲率半径が突起部１３０の曲率半径よりも大きくなるように形成されている。
【００２９】
したがって、突起部１３０が凹部１２３´に当接されると、突起部１３０の先端領域が凹部１２３´の底領域により支持される。これにより、突起部１３０はより滑らかに摺動自在に支持された状態となり、保持部材１１０はより滑らかに枢動されて、その傾き角度がより円滑に微調整され得るようになる。
【００３０】
図８は、本発明に係る反射鏡調整装置のさらに他の実施形態を示すものであり、前述の図２ないし図４に示す実施形態と同一の構成については同一の符号を付してその説明を省略する。すなわち、この実施形態に係る装置においては、図８に示すように、枢支部として球体１３０´が採用され、保持部材１１０´には球体１３０´を摺動自在に支持する凹状の支持部としての円孔１１３が形成されている。
【００３１】
球体１３０´は、その直径が円孔１２３の直径よりも大きく、又、円孔１１３の直径よりも大きく形成されている。尚、円孔１１３の直径は、円孔１２３の直径よりも小さくてもあるいは大きくてもよい。
これによれば、球体１３０´が保持部材１１０´及び固定部材１２０の円孔１１３，１２３の縁部に挟持されることで、保持部材１１０´（反射鏡５０）は、球体１３０´を支点として、固定部材１２０に対する傾きの角度位置が調整され得る。また、枢支部として独立した球体１３０´を採用したことで、球体をなす既存の製品を流用することもでき、低コスト化が図れる。
【００３２】
図９（ａ），（ｂ）は、本発明に係る反射鏡調整装置のさらに他の実施形態を示すものであり、前述の図２ないし図４に示す実施形態と同一の構成については同一の符号を付してその説明を省略する。すなわち、この実施形態に係る装置においては、図９（ａ）に示すように、調整手段として調整ネジ１４０´とナット１５０が採用されている。
保持部材１１０´´には、図９（ａ），（ｂ）に示すように、調整ネジ１４０´の頭部を収容して保持し得ると共に端部に開口する三つの溝１１４、調整ネジ１４０´の軸部を挿通させると共に溝１１４に連通する切り欠き溝１１５が形成されている。
【００３３】
したがって、この組み付けに際しては、反射鏡５０が接着された保持部材１１０´´に対して、調整ネジ１４０´を切り欠き溝１１５及び溝１１４に通して保持させた状態で、保持部材１１０´´を固定部材１２０に近づけて突起部１３０を円孔１２３に当接させると同時に調整ネジ１４０´を貫通孔１２４に挿通させ、その後、ナット１５０を螺合して締結する。
そして、ナット１５０の締め付け量を適宜調整することにより、突起部１３０を支点として保持部材１１０´´を適宜傾動させて、その傾き角度を調整することができる。
【００３４】
図１０は、本発明に係る反射鏡調整装置のさらに他の実施形態を示すものであり、前述の図２ないし図４に示す実施形態と同一の構成については同一の符号を付してその説明を省略する。すなわち、この実施形態に係る装置においては、図１０に示すように、枢支部として半球状の突起部１２５が固定部材１２０´´に一体的に設けられ、保持部材１１０´´´には突起部１２５を摺動自在に支持する凹状の支持部としての円形の凹部１１３´が形成されている。
【００３５】
凹部１１３´は、その直径が突起部１２５の直径よりも小さく形成されている。これによれば、保持部材１１０´´´の凹部１１３´が固定部材１２０´´の突起部１２５に当接されることで、保持部材１１０´´´（反射鏡５０）は、突起部１２５を支点として、固定部材１２０´´に対する傾きの角度位置が調整され得る。
【００３６】
上記実施形態においては、本発明の反射鏡調整装置１００を適用するプロジェクタＰとして、ＤＭＤ（登録商標）を光変調ユニット６０として採用するものを示したが、これに限定されるものではなく、液晶パネルを光変調ユニットとして採用するものにおいて適用してもよく、又、その他の光変調ユニットを採用するものにおいて適用してもよい。
また、上記実施形態において、反射鏡調整装置１００は、照射光学系１０から光変調ユニット６０までの光路上に配置される反射鏡５０の角度位置を調整するために適用される場合を示したが、これに限定されるものではなく、その他の光路上に配置される反射鏡の角度位置を調整するために適用されてもよい。
【００３７】
上記実施形態においては、保持部材１１０，１１０´、１１０´´を枢動自在に支持する枢支部として、球状の突起部１３０，１２５、球体１３０´を示したが、これに限定されるものではなく、保持部材の傾き角度を一箇所の支点を中心として調整できるものであれば、先端が球面状をなすものに限らず、尖った形状のものでもよい。
また、上記実施形態においては、調整手段として、三つの調整ネジ１４０及びネジ穴１１２，三つの調整ネジ１４０´及びナット１５０を示したが、これに限定されるものではなく、四個の調整ネジ及びネジ穴またはナット、あるいは、保持部材と固定部材との距離を三箇所以上の複数の位置において調整できるものであれば、その他の構成を採用してもよい。
【００３８】
【発明の効果】
以上述べたように、本発明に係るプロジェクタの反射鏡調整装置によれば、反射鏡を保持する保持部材とプロジェクタの本体に固定される固定部材との間に介在して保持部材を複数の方向に枢動させ得る枢支部、保持部材と固定部材とを締結すると共に枢支部を囲む少なくとも三箇所における両者間の距離を調整し得る調整手段を採用したことにより、調整手段で保持部材と固定部材との間の距離を適宜調整すると、保持部材は枢支部を支点として複数の方向に枢動（支点を中心として傾動）し、固定部材に対する傾きの角度位置が調整される。これにより、簡略な構造にて、保持部材に保持された反射鏡の向きを、所望の向きに容易にかつ高精度に調整することができる。
特に、枢支部として、略半球状の突起部あるいは球体を採用することにより、より円滑に角度調整を行うことができる。
さらに、枢支部を反射鏡の略中央部に位置するように配置することにより、角度調整に拘わらず、反射鏡の上流側及び下流側における光路長の変化を防止ないしは極力小さく抑えることができる。
【図面の簡単な説明】
【図１】本発明に係る反射鏡調整装置を含むプロジェクタのシステム図である。
【図２】本発明に係る反射鏡調整装置の一実施形態を示す分解斜視図である。
【図３】本発明に係る反射鏡調整装置の一実施形態を示すものであり、（ａ）は背面図、（ｂ）は側断面図である。
【図４】本発明に係る反射鏡調整装置の一実施形態を示すものであり、（ａ）は平断面図、（ｂ）は正面図である。
【図５】（ａ），（ｂ）は反射鏡調整装置の上下方向における調整動作を示す側断面図である。
【図６】（ａ），（ｂ）は反射鏡調整装置の左右方向における調整動作を示す側断面図である。
【図７】本発明に係る反射鏡調整装置の他の実施形態を示す側断面図である。
【図８】本発明に係る反射鏡調整装置のさらに他の実施形態を示す側断面図である。
【図９】本発明に係る反射鏡調整装置のさらに他の実施形態を示すものであり、（ａ）側断面図、（ｂ）は保持部材の背面図である。
【図１０】本発明に係る反射鏡調整装置のさらに他の実施形態を示す側断面図である。
【符号の説明】
Ｐ  プロジェクタ
Ｓ  スクリーン
１０  照明光学系
２０  カラーホイール
３０  ライトトンネル
４０  コンデンサレンズ
５０  反射鏡
６０  光変調ユニット
７０  投影レンズ光学系
１００  反射鏡調整装置
１１０，１１０´，１１０´´，１１０´´´  保持部材
１１１  リブ
１１２  ネジ穴（調整手段）
１１３  円孔（凹状の支持部）
１１３´  凹部（凹状の支持部）
１１４  溝
１１５  切り欠き溝
１２０，１２０´，１２０´´  固定部材
１２１  座部
１２２  直立部
１２３  円孔（凹状の支持部）
１２３´  凹部（凹状の支持部）
１２４  貫通孔
１２５，１３０  半球状の突起部（枢支部）
１３０´  球体（枢支部）
１４０，１４０´  調整ネジ（調整手段）
１４０ａ  スプリングワッシャ
１５０  ナット（調整手段）
【図１】
2004233688.tif 000003
【図２】
2004233688.tif 000004
【図３】
2004233688.tif 000005
【図４】
2004233688.tif 000006
【図５】
2004233688.tif 000007
【図６】
2004233688.tif 000008
【図７】
2004233688.tif 000009
【図８】
2004233688.tif 000010
【図９】
2004233688.tif 000011
【図１０】
2004233688.tif 000012